(57)【要約】【課題】  従来の技術では循環ポンプの使用が必要不可欠であった。しかしながら循環ポンプが必要であるため、電磁波の発生による体調不良であったり、循環ポンプが発する深夜における騒音による不眠であったりといった体調に関する問題があった。また、経済面ではランニングコストが高くなるといった経済負担が問題でもあった。【解決手段】  上記が可能になった手段は、中間隔壁を間に置き下側に準備された熱媒体が加熱される加熱部と上側に準備した熱媒体が流動される流動部を持つ熱発生体、中間隔壁を貫通して加熱部内から加熱した熱媒体を流動部に上昇させる連結管、流動部から熱発生体の外側に露出され流動部に充満した熱媒体を移送させる移送管、移送管と連通して所定の設置面を加熱する加熱管、加熱部の外側に露出した加熱管と連通し流動部と連通した戻管、流動部内で蒸発された水蒸気を戻管を通じて循環させる降水管を含めた熱発生装置を用いる。【選択図】      図１
2005321179.tif 000002
【特許請求の範囲】
【請求項１】
中間壁を中において、下側に用意された熱媒体が加熱される加熱部と、中間壁の上側に用意された、上記加熱部で加熱された熱媒体が流動される流動部がある熱発生体と
上記中間壁を貫通し、両端を上記加熱部及び上記流動部で配置される、上記加熱部内で加熱される熱媒体を上記流動部に上昇させる少なくとも１つの連結管と
上記流動部から熱発生体の外側に設け、流動部で充満した熱媒体を移送する移送管と
上記移送管と連通し、所定の設置面に設置された設置面を加熱する加熱管と
上記熱発生体の外側に露出する、上記加熱管と連通し、上記加熱管内の熱媒体が上記加熱管から戻る戻管と
その一端は上記熱発生本体の上部流動部に連通し、他端は上記戻管に連通する、上記流動部内で蒸発された水蒸気を上記戻管を通じて循環させる降水管と
を含めるのを特徴とする熱発生装置。
【請求項２】
下側に用意された熱媒体が加熱される加熱部と、上記加熱部で加熱された熱媒体が流動される、上側に用意された流動部とで構成された熱発生体と
上記加熱部の上面と上記流動部の下面とを連結し、上記下側の加熱部内で加熱された熱媒体を上記上側の流動部に上昇させる少なくとも１つの連結管と
上記連結管に分岐し設けた熱媒体を移送する移送管と
上記移送管と連通し、所定の設置面に設置された設置面を加熱する加熱管と
上記加熱管から上記加熱部の外側に露出され、上記加熱配と連通し、上記加熱管内の熱媒体が戻る戻管と
その一端は上記熱発生体の上部流動部に連通し他端は上記戻管に連通して、上記流動部内で蒸発された水蒸気を上記戻管を通じて循環させる降水管と
を含めるのを特徴とする熱発生装置。
【請求項３】
下側に用意された熱媒体が加熱される加熱部と、上側に用意された、上記加熱部内で加熱された熱媒体が流動される流動部がある熱発生体と
上記加熱部に配置された、上記加熱部にて加熱された熱媒体を移送する移送管と
上記加熱部にて加熱された熱媒体を、上記移送管の一部より分岐し、上記流動部に上昇させる少なくとも１つの連結管と
その一端が上記移送管と連通して、所定の設置面に設置され、上記設置面を加熱する加熱管と
上記加熱管から上記熱発生体の一部の加熱部に配置され、上記加熱管と連通し、上記加熱管内の熱媒体を戻す戻管と
一端は上記熱発生体の上部流動部に連通し他端は上記戻管に連通して、上記流動部で蒸発した水蒸気を上記戻管を通じて上記熱発生体加熱部に循環させる降水管と
を含めるのを特徴とする熱発生装置。
【請求項４】
下側に用意された熱媒体が加熱される加熱部と、上記加熱部で加熱された熱媒体が流動される、上側に用意された流動部とで構成された熱発生体と
上記加熱部の上面と上記流動部の下面とを連結し、上記下側の加熱部内で加熱された熱媒体を上記上側の流動部に上昇させる少なくとも１つの連結管と
上記加熱部より露出した移送管と
上記移送管と連通し、所定の設置面に設置された設置面を加熱する加熱管と
上記加熱管から上記加熱部の外側に露出され、上記加熱管と連通し、上記加熱管内の熱媒体が戻る戻管と
その一端は上記熱発生体の上部流動部に連通し他端は上記戻管に連通して、上記流動部内で蒸発された水蒸気を上記戻管を通じて循環させる降水管と
を含めるのを特徴とする熱発生装置。
【請求項５】
請求項１、請求項２、請求項３及び請求項４にあって、加熱部、流動部、連結管、移送管、戻管、降水管は各々が１つ又は複数の組み合わせになっても可能な熱発生装置。
【発明の詳細な説明】
【技術分野】
【０００１】  本発明は熱発生装置に関して、循環ポンプ無しでも熱発生体の内から形成された熱媒体を、設置面に設置された加熱管に循環させる。
【背景技術】
【０００２】  一般的にガス、オイル、ヒーター等を利用して、得られる熱源から冷水を加熱して温水を作り出した後、温水を通って暖房するボイラーは色々な形で広く利用されている。温水を作り出すボイラーは居室や部屋床面等を加熱する加熱管と連動している。【０００３】  加熱配管の両端は各々ボイラー本体の内部に連通し、一端はボイラー本体から温水を循環させる往回路と接続され、他端は熱気が冷めた温水をボイラー本体に循環させる戻回路と接続する。本システムは循環させるための循環ポンプが必要となる。【０００４】  ゆえにボイラー本体が動き始めたら、ボイラー本体内から所定の熱源から冷水が加熱され、温水に変化する。この時循環ポンプが動き始めると、ボイラー本体内から作り出された温水が、往回路を通して循環されて加熱配管を流動する。加熱配管を通して流動する温水は、居室や部屋床面等を加熱することにより、温度の低下した温水に変化する。このように加熱配管内から低温水は、戻回路に通じてボイラー本体内に流入され再び加熱される。ところで、このような従来のボイラーにあっては、ボイラー本体内の温水を加熱配管に循環させるためには循環ポンプを使用するのが一般的であった。従って、循環ポンプ無しでもボイラー本体内の温水を加熱配管で循環させるように創意工夫がなされた本発明を、出願を通してこのような問題点を解消した。
【発明の開示】
【発明が解決しようとする課題】
【０００５】  従来の技術では循環ポンプの使用が必要不可欠であった。しかしながら循環ポンプが必要であるため、電磁波の発生による体調不良であったり、循環ポンプが発する深夜における騒音による不眠であったりといった体調に関する問題があった。また、経済面ではランニングコストが高くなると言った経済負担が問題でもあった。
【発明が解決するための手段】
【０００６】  本発明は循環ポンプを無くすることにより人間の体調を狂わせる要因である電磁波発生を無くし、深夜不眠の原因である騒音を無くすることができる。又、経済面でも循環ポンプを無くすることによりランニングコストを削減することが可能となった。上記が可能になった手段は、中間隔壁を間に置き、下側に準備された熱媒体が加熱される加熱部と、上側に準備した熱媒体が流動される流動部を持つ熱発生体、中間隔壁を貫通して加熱部内から加熱した熱媒体を流動部に上昇させる連結管、流動部から熱発生体の外側に露出され流動部に充満した熱媒体を移送させる移送管、移送管と連通して所定の設置面を加熱する加熱管、加熱部の外側に露出した加熱管と連通し流動部と連通した戻管、流動部内で蒸発された水蒸気を戻管を通じて循環させる降水管を含めた熱発生装置を用いる。
【発明の効果】
【０００７】  今回の発明により循環ポンプが不要となるため、電磁波の発生が無く、又、騒音の発生も無く人間の体調不良を解消することが可能となった。又、経済的でランニングコストが低減でき経済負担が楽になる。
【発明を実施するための最良の形態】
【０００８】  上記目的は本発明によって、中間隔壁を間に置き、下側に準備された熱媒体が加熱される加熱部と、上記中間隔壁の上側に準備した、上記加熱部内で加熱された熱媒体が流動される流動部を持つ熱発生体と：上記中間隔壁を貫通して、両端が上記加熱部又上記流動部へ配置し、上記加熱部内から加熱した熱媒体を上記流動部に上昇させる少なくとも１つの連結管：上記流動部から上記熱発生体の外側に露出され、上記流動部に充満した熱媒体を移送させる移送管：一端が上記移送管と連通して、所定の設置面に設置された設置面を加熱する加熱管：上記加熱部から上記熱発生体の外側に露出され、上記加熱管と連通し、上記加熱管内の熱媒体が戻る戻管：一端は上記熱発生体の上部流動部に連通し他端は上記戻管に連通して、上記流動部内で蒸発された水蒸気を上記戻管を通じて循環させる降水管を含めて達成する熱発生装置。【０００９】  一方上記目的は、下側に用意された熱媒体が加熱される加熱部と、上記加熱部で加熱された熱媒体が流動される、上側に用意された流動部とで構成された熱発生体：上記加熱部の上面と上記流動部の下面とを連結し、上記下側の加熱部内で加熱された熱媒体を上記上側の流動部に上昇させる少なくとも１つの連結管：上記連結管に分岐し設けた熱媒体を移送する移送管：一端が上記移送管と連通して、所定の設置面に設置された設置面を加熱する加熱管：上記加熱部から上記熱発生体の外側に露出された、上記加熱管と連通し、上記加熱管内の熱媒体が戻る戻管：一端は上記熱発生体の上部流動部に連通し他端は上記戻管に連通して、上記流動部内で蒸発された水蒸気を上記戻管を通じて循環させる降水管を含めて達成する熱発生装置。【００１０】  一方上記目的は、下側に用意された熱媒体が加熱される加熱部と、上側に用意された、上記加熱部内で加熱された熱媒体が流動される流動部がある熱発生体：上記加熱部に配置された、上記加熱部にて加熱された熱媒体を移送する移送管：上記加熱部にて加熱された熱媒体を、上記移送管の一部より分岐し、上記流動部に上昇させる少なくとも１つの連結管：その一端が上記移送管と連通して、所定の設置面に設置され、上記設置面を加熱する加熱管：上記加熱管から上記熱発生体の一部の加熱部に配置され、上記加熱管と連通し、上記加熱管内の熱媒体を戻す戻管：一端は上記熱発生体の上部流動部に連通し他端は上記戻管に連通して、上記流動部で蒸発した水蒸気を上記戻管を通じて上記熱発生体加熱部に循環させる降水管を含めて達成する熱発生装置。【００１１】  一方上記目的は、下側に用意された熱媒体が加熱される加熱部と、上記加熱部で加熱された熱媒体が流動される、上側に用意された流動部とで構成された熱発生体：上記加熱部の上面と上記流動部の下面とを連結し、上記下側の加熱部内で加熱された熱媒体を上記上側の流動部に上昇させる少なくとも１つの連結管：上記加熱部より露出した移送管：上記移送配管と連通し、所定の設置面に設置された設置面を加熱する加熱管：上記加熱管から上記加熱部の外側に露出され、上記加熱管と連通し、上記加熱管内の熱媒体が戻る戻管：その一端は上記熱発生体の上部流動部に連通し他端は上記戻管に連通して、上記流動部内で蒸発された水蒸気を上記戻管を���じて循環させる降水管を含めて達成する熱発生装置。
【実施例】
【００１２】  本発明の実施例は図１に示されたように、熱媒体を送り出す熱発生体（１１）と所定の設置面（１９）に設置させて熱媒体によって設置面（１９）を加熱する加熱管（１８）を有する。【００１３】  熱発生体（１１）は形状を問わず成立し、設置位置についても場所を問わない。【００１４】  加熱部（１２）と流動部（１３）には各々連結管（１４）が配置される。加熱部（１２）で加熱された熱媒体は速やかに上昇流となり連結管（１４）を通り流動部（１３）に移送する。加熱部（１２）、流動部（１３）、連結管（１４）は図２、図３、又は図４に図示したように構成することもできるし、構成個数についても複数も可能である。【００１５】  設置面（１９）を加熱管（１８）によって加熱させるために熱発生体（１１）の流動部（１３）には移送管（１５）がある。この移送管（１５）を通して熱媒体が移送され、加熱管（１８）による設置面（１９）の加熱後、温度が下がった熱媒体が熱発生体（１１）の戻管（１６）に戻ってくる。【００１６】  一方の戻管（１６）の一端には流動部（１３）の一端と連結している降水管（１７）が配置されている。【００１７】  これらの移送管（１５）、戻管（１６）、及び降水管（１７）は、図２、図３、又は図４に図示したように構成することもできるし、配置の位置についても場所は選ばない。構成個数についても複数が可能である。【００１８】  図１に図示された降水管（１７）は、熱発生体（１１）の流動部（１３）で発生した蒸気は降水管（１７）によって凝縮されドレン化し、温熱媒体となって戻管（１６）を通って加熱部（１２）に循環する。
【産業上の利用の可能性】
【００１９】  本説明による産業上の利用については図１、図２、図３、図４が示すように、熱発生体（１１）から加熱管（１８）へと移送し熱放散しながら加熱管（１８）から元の熱発生体（１１）に戻る熱循環システムに利用しうる。すなわち、設置面（１９）が床である場合は床暖房システムであり、電気式ホットカーペットに換わる熱循環システムを利用したホットカーペットになり得る。又設置面（１９）が壁である場合もあるし、設置面（１９）がベットである場合は温水ベットになり得る。一方、設置面（１９）が屋根の下面の場合は融雪システムで利用できる。又、設置面（１９）を地面に埋設した場合にも融雪システムとして機能する。
【図面の簡単な説明】
【００２０】
【図１】本発明の第一実施例を示した熱発生体の断面図及び設置面との関係を示した設置図である。
【図２】本発明の第二実施例を示した熱発生体の外形図及び設置面との関係を示した設置図である。
【図３】本発明の第三実施例を示した熱発生体の外形図及び設置面との関係を示した設置図である。
【図４】本発明の第四実施例を示した熱発生体の外形図及び設置面との関係を示した設置図である。
【符号の説明】
【００２１】      １１                    ：      熱発生体
１２，２２，３２，４２  ：      加熱部
１３，２３，３３，４３  ：      流動部
１４，２４，３４，４４  ：      連結管
１５，２５，３５，４５  ：      移送管
１６，２６，３６，４６  ：      戻管
１７，２７，３７，４７  ：      降水管
１８，２８，３８，４８  ：      加熱管
１９，２９，３９，４９  ：      設置面
【図１】
2005321179.tif 000003
【図２】
2005321179.tif 000004
【図３】
2005321179.tif 000005
【図４】
2005321179.tif 000006